(57)【要約】【課題】輝度ムラを抑制して発光の均一化を図り、かつ、光の利用効率の向上させること。【解決手段】光源ブロック４からコリメータ２に入射する入射光のうち、コリメータ２の切り欠き面２ｃに対して臨界角αより小さい光ｐ１は、第１の境界層１１を透過して導光板３に入射される。コリメータ２に入射した光源ブロック４からの光のうち、切り欠き面２ｃに対して上記臨界角α以上の光ｐ２は、第１の境界層１１により全反射する。全反射した第２の光ｐ２のうち、第１の境界層１１に対して所定の角度より小さい角度の第３の光ｐ３は、直接コリメータ２の反射面２ａで反射する。第２の光ｐ２のうち、所定の角度以上の第４の光ｐ４は第２の境界層１２に対して臨界角以上で入射し、第２の境界層１２で反射しコリメータ２の反射面２ａで反射する。このように導光に影響を及ぼす各部の形状が設計されることで、導光板１０に入射する光が極力平行化される。【選択図】図３
2008210749.tif 000002
【特許請求の範囲】
【請求項１】
光源ブロックから発せられた光を案内する導光板と、
前記光源ブロックから発せられた光が入射する入射面と、前記入射面側に設けられ前記導光板側へ前記光を反射させる反射面とを有する光学素子と、
前記導光板と前記光学素子との間に設けられ、臨界角より小さい角度の第１の光を透過させて前記導光板へ入射させ、かつ、前記臨界角以上の第２の光を反射させることで前記第２の光を前記反射面で反射させて前記導光板へ入射させる境界層と
を具備することを特徴とするライトガイド。
【請求項２】
請求項１に記載のライトガイドであって、
前記境界層は、
前記第２の光のうち、所定の角度より小さい角度の第３の光を前記反射面へ導くように反射させ、前記第２の光のうち、前記所定の角度以上の第４の光を反射させる第１の境界層と、
前記第１の境界層で反射された前記第４の光を前記反射面へ導くように反射させる第２の境界層と
を有することを特徴とするライトガイド。
【請求項３】
請求項２に記載のライトガイドであって、
前記第１の境界層は、前記入射面に向けて凸状に形成されていることを特徴とするライトガイド。
【請求項４】
請求項２に記載のライトガイドであって、
前記第２の境界層は、前記入射面に平行に配置されていることを特徴とするライトガイド。
【請求項５】
請求項１に記載のライトガイドであって、
前記光学素子は、前記反射面に反射膜を有することを特徴とするライトガイド。
【請求項６】
請求項２に記載のライトガイドであって、
前記光源ブロックは、並べられた複数の発光素子を有し、
前記複数の発光素子が並ぶ方向の前記第１の境界層の長さは、前記光源ブロックの当該方向の長さより長いことを特徴とするライトガイド。
【請求項７】
請求項２に記載のライトガイドであって、
前記光源ブロックは、複数設けられ、
前記第１の境界層は、前記光源ブロックに対応するように複数設けられていることを特徴とするライトガイド。
【請求項８】
光源ブロックから発せられた光が入射する入射面と、前記入射面側に設けられ、かつ、前記入射面に対して所定の角度で配置され、前記光を反射する反射面とを有する光学素子と、
前記光学素子から出射した前記光を取り入れて案内する導光板と、
前記入射面に向けて凸状に形成された部分を有し、前記入射面から入射した前記光及び該光のうち前記反射面で反射した反射光を透過させて前記導光板へ入射させる境界層と
を具備することを特徴とするライトガイド。
【請求項９】
光源ブロックから発せられた光が入射する入射面と、
前記入射面側に設けられ、前記入射面とは反対側に配置された導光板側へ前記光を反射させる反射面と、
前記入射面とは反対側に設けられ、臨界角より小さい角度の第１の光を透過させて前記導光板へ入射させ、かつ、前記臨界角以上の第２の光を反射させることで前記第２の光を前記反射面で反射させて前記導光板へ入射させる出射面と
を具備することを特徴とする光学素子。
【請求項１０】
光源ブロックと、
前記光源ブロックから発せられた光を案内する導光板と、
前記光源ブロックから発せられた光が入射する入射面と、前記入射面側に設けられ前記導光板側へ前記光を反射させる反射面とを有する光学素子と、
前記導光板と前記光学素子との間に設けられ、臨界角より小さい角度の第１の光を透過させて前記導光板へ入射させ、かつ、前記臨界角以上の第２の光を反射させることで前記第２の光を前記反射面で反射させて前記導光板へ入射させる境界層と
を具備することを特徴とするバックライト装置。
【請求項１１】
光源ブロックと、
前記光源ブロックから発せられた光を案内する導光板と、
前記光源ブロックから発せられた光が入射する入射面と、前記入射面側に設けられ前記導光板側へ前記光を反射させる反射面とを有する光学素子と、
前記導光板と前記光学素子との間に設けられ、臨界角より小さい角度の第１の光を透過させて前記導光板へ入射させ、かつ、前記臨界角以上の第２の光を反射させることで前記第２の光を前記反射面で反射させて前記導光板へ入射させる境界層と、
前記導光板が発する光の強度を変調する変調素子と
を具備することを特徴とするディスプレイ装置。
【請求項１２】
光源ブロックと、
前記光源ブロックから発せられた光を案内する導光板と、前記光源ブロックから発せられた光が入射する入射面と、前記入射面側に設けられ前記導光板側へ前記光を反射させる反射面とを有する光学素子と、前記導光板と前記光学素子との間に設けられ、臨界角より小さい角度の第１の光を透過させて前記導光板へ入射させ、かつ、前記臨界角以上の第２の光を反射させることで前記第２の光を前記反射面で反射させて前記導光板へ入射させる境界層とを有するライトガイドと、
前記ライトガイドが発する光の強度を変調する変調素子と、
操作入力に応じて前記変調素子を制御する制御部と
を具備することを特徴とする電子機器。
【発明の詳細な説明】
【技術分野】
【０００１】
本発明は、発光素子から発せられた光を面発光させるライトガイド、これに用いられる光学素子、これらを用いたバックライト装置、ディスプレイ装置及び電子機器に関する。
【背景技術】
【０００２】
ＬＥＤ（Light Emitting Diode）等の発光素子を光源とする、液晶ディスプレイのバックライトとしては、いわゆるエッジライト型と直下型とがある。エッジライト型は、導光板の端面（側面）にＬＥＤが配置されるバックライトである。直下型は、導光板の発光面である広い主面に対向してＬＥＤが配置される。ディスプレイの大きさにもよるが、どちらのタイプでも、複数のＬＥＤが配置されることが多い。
【０００３】
例えばエッジライト型のバックライトには、次のような問題点がある。一般的に、ＬＥＤの発光面積は、導光板の入光面の面積に対し小さいため、マクロ的には点光源に近い発光状態となる。したがって、入光面の全面に一様に光を入射させることができる冷陰極管タイプに対し、ＬＥＤが配置される近傍のみが極端に明るく、ＬＥＤとＬＥＤの間が暗くなる、いわば光源が点在する状態となってしまい、導光板全体で均一な面発光とならない。また、液晶モジュールの小型化に伴う狭額縁化の要請から、導光板の入光面からバックライトとしての実用発光領域（通常、アクティブエリアという）までの距離はできるだけ短くしたい。こうなると、当然ながら入光部近くの発光面に発生する輝度ムラがアクティブエリアにまで露出しやすくなる。
【０００４】
かかる輝度ムラの問題を解決するため、入光面にプリズム等の形状を形成して入射光の光路を制御する導光板が開示されている（例えば、特許文献１参照。）。しかし、満足の行く程度まで均一化されていないのが現状である。また、入光面がプリズム形状の導光板においては、入射後の光の進行角度が広がってしまう。したがって、一般的にはある角度範囲の光（主に、マクロ的な入射面の法線方向を中心としたある角度範囲内）を想定して設計されている導光板では、その光の利用効率が落ちてしまう。
【０００５】
一方、輝度ムラを抑制するために、ドットパターンを有する拡散シート等が用いられたバックライトがある（例えば、特許文献２参照。）。
【０００６】
【特許文献１】特開２００２−１９６１５１号公報（段落[００１９]、図２）
【特許文献２】特開２００１−３１２９１６号公報（図１９）
【発明の開示】
【発明が解決しようとする課題】
【０００７】
しかしながら、特許文献２のようなドットパターンを備えた拡散シートは、プリズム形状の入光面を有する導光板に比べ、光の利用効率が低下する。
【０００８】
以上のような事情に鑑み、本発明の目的は、輝度ムラを抑制して発光の均一化を図り、かつ、光の利用効率を向上させることができる技術を提供することにある。
【課題を解決するための手段】
【０００９】
上記目的を達成するため、本発明に係るライトガイドは、光源ブロックから発せられた光を案内する導光板と、前記光源ブロックから発せられた光が入射する入射面と、前記入射面側に設けられ前記導光板側へ前記光を反射させる反射面とを有する光学素子と、前記導光板と前記光学素子との間に設けられ、臨界角より小さい角度の第１の光を透過させて前記導光板へ入射させ、かつ、前記臨界角以上の第２の光を反射させることで前記第２の光を前記反射面で反射させて前記導光板へ入射させる境界層とを具備する。
【００１０】
本発明では、境界層を介して第１の光が光学素子から導光板側へ透過し、光学素子の反射面により反射した第２の光が境界層を介して導光板側へ透過する。反射面の角度等が適宜設定されることにより、導光板内では平行光線が多くなる。したがって、輝度ムラが抑制されるとともに光の利用効率を向上させることができる。
【００１１】
第２の光に含まれる光線の角度等に応じて反射面は複数設けられていてもよい。
【００１２】
本発明の一の形態によれば、前記境界層は、前記第２の光のうち、所定の角度より小さい角度の第３の光を前記反射面へ導くように反射させ、前記第２の光のうち、前記所定の角度以上の第４の光を反射させる第１の境界層と、前記第１の境界層で反射された前記第４の光を前記反射面へ導くように反射させる第２の境界層とを有する。
【００１３】
本発明では、第２の境界層が、第１の境界層で反射した第４の光を光学素子の反射面へ導くように反射するので、光の利用効率を向上させることができる。
【００１４】
本発明の一の形態によれば、前記第１の境界層は、前記入射面に向けて凸状に形成されている。
【００１５】
本発明の一の形態によれば、前記第２の境界層は、前記入射面に平行に配置されている。
【００１６】
本発明の一の形態によれば、前記光学素子は、前記反射面に反射膜を有する。これにより、反射面での反射率が高められ、光の利用効率が向上する。例えば、前記反射面は、プリズム形状でなる。
【００１７】
本発明の一の形態によれば、前記光源ブロックは、並べられた複数の発光素子を有し、
前記複数の発光素子が並ぶ方向の前記第１の境界層の長さは、前記光源ブロックの当該方向の長さより長い。これにより、光源ブロックの長さが、第１の境界層の長さより長い場合に比べ、多くの平行光を作ることができる。
【００１８】
本発明の一の形態によれば、前記光源ブロックは、複数設けられ、前記第１の境界層は、前記光源ブロックに対応するように複数設けられている。本発明では、複数の光源ブロックから発せられたそれぞれの光が、導光板において平行光とされる。
【００１９】
本発明の他の観点に係るライトガイドは、光源ブロックから発せられた光が入射する入射面と、前記入射面側に設けられ、かつ、前記入射面に対して所定の角度で配置され、前記光を反射する反射面とを有する光学素子と、前記光学素子から出射した前記光を取り入れて案内する導光板と、前記入射面に向けて凸状に形成された部分を有し、前記入射面から入射した前記光及び該光のうち前記反射面で反射した反射光を透過させて前記導光板へ入射させる境界層とを具備する。
【００２０】
本発明では、境界層が凸状に形成された部分を有しているので、この部分において光学素子から導光板へ透過する光から多くの平行光線が作られる。また、反射面の角度が適宜設定されることにより、上記凸状の部分で反射した光からも多くの平行光が作られる。したがって、輝度ムラが抑制されるとともに光の利用効率を向上させることができる。
【発明の効果】
【００２１】
以上のように、本発明によれば、輝度ムラを抑制して発光の均一化を図り、かつ、光の利用効率を向上させることができる。
【発明を実施するための最良の形態】
【００２２】
以下、本発明の実施の形態を図面を参照しながら説明する。
【００２３】
図１は、本発明の一実施の形態に係るライトガイド（及びこのライトガイド１０に取り付けられた光源ブロック４）を示す平面図である。図２は、図１に示すライトガイド１０の側面図である。
【００２４】
ライトガイド１０は、光源ブロック４が装着され、光源ブロック４から発せられた光をできるだけ平行光に近づける光学素子としてのコリメータ２と、コリメータ２から出射された光を案内する導光板３とを組として備える。
【００２５】
光源ブロック４は、赤、緑及び青（ＲＧＢ）の少なくとも３つの発光素子９を有する。光源ブロック４または発光素子９としては、例えばＬＥＤが用いられ、それは無機でも有機でもどちらであってもかまわない。本実施の形態の光源ブロック４は、例えば５つの発光素子９を有する。その５つの色の組み合わせは、適宜設定可能であり、その５つの色の組み合わせにより、光源ブロック４は白色光または白色に近い色の光を発する。なお、光源ブロック４が有する発光素子９の数は、５つに限られず、６つ以上でもよいし、２つ以下であってもよい。また白色のＬＥＤが用いられてもよい。あるいは、光源ブロック４は、必ずしも白色を発光する形態に限られず、１つまたは複数の発光素子９により他の色を発光する形態であってもよい。
【００２６】
コリメータ２は、光源ブロック４から発せられた光線をできるだけ平行光で出射して導光板に入射させる機能を備える。コリメータ２は、光源ブロック４の発光面４ａに対面し、光源ブロック４が発する光が入射する入射面２ｂを有する。また、光源ブロック４は、入射面２ｂ側に設けられた光の反射面２ａを有する。この反射面２ａは、後でも説明するが、コリメータ２内を進む光を導光板３に向かわせるように反射する。反射面２ａは、複数設けられ、これら複数の反射面２ａは、コリメータ２に複数の３角プリズムが形成されることで実現されるが、３角形状に限られず、台形やその他の形状でもよい。反射面２ａは、できるだけ多くの光が全反射する角度に設定されている。あるいは、反射面２ａには、反射率を高めるための金属膜が形成されていてもよい。その金属膜は、例えば銀、アルミニウム等の蒸着により形成することができる。
【００２７】
図３は、光源ブロック４の近傍を拡大したライトガイド１０の平面図である。コリメータ２の導光板３側に設けられた出光面６の一部には、切り欠き面２ｃが形成されている。後でも説明するが、切り欠き面２ｃにより、光源ブロック４から発せられる光の一部を当該切り欠き面２ｃから出射させ、導光板３に入射させる。切り欠き面２ｃは、例えば図３で見て３角形状に形成されている。導光板３のコリメータ側に設けられた入光面７の一部には、当該切り欠き面２ｃに沿う３角形状の突起面３ｃが形成されている。すなわち、このライトガイド１０は、コリメータ２と導光板３との間に、光源ブロック４側（入射面２ｂ側）に凸形状の第１の境界層１１と、入射面２ｂに実質的に平行な第２の境界層１２とを備える。以下、第１の境界層１１及び第２の境界層１２を含めた意味でこれを「境界層」１５という。
【００２８】
コリメータ２の出光面６と導光板３の入光面７とは、例えば接着剤等で接合される場合もある。しかし、原理的（またはミクロ的）には、境界層１５には空気があり、境界層１５は空気層となる。なお、接着剤を用いずに、意図的にコリメータ２と導光板３との隙間を設けるようにして、コリメータ２と導光板３とが適当な固定具で固定されてもよい。
【００２９】
突起面３ｃの頂点３ｄ及び切り欠き面２ｃの頂点２ｄは、典型的には、光源ブロック４の幅方向（Ｘ方向）における中央部に位置するように設計されている。しかしながら、頂点３ｄ及び２ｄは必ずしも当該中央部に位置しなくてもよく、Ｘ方向でオフセットされていてもよい。本実施形態では、光源ブロック４の中央部を通り、光源ブロック４の発光面の法線方向（Ｙ方向）を軸として、コリメータ２は対称的な構造となっている。特に、切り欠き面２ｃ、導光板の突起面３ｃ、上記反射面２ａが対称位置に配置されている。
【００３０】
図３を参照して、突起面３ｃの頂角θ（切り欠き面２ｃの頂角でもある）は、例えば１００°程度に設定されている。θは、例えば７０〜１４０°程度に設定することができる。コリメータ２の入射面２ｂから切り欠き面２ｃの頂点２ｄまでの距離ｄ１、切り欠き面２ｃのＸ方向での幅ｄ２は適宜設定可能である。ｄ２は、典型的には、光源ブロック４の幅ｄ３より大きく設定される。光源ブロック４の種類、その配光特性、発光面積等によって、コリメータ２でより多くの平行光線を生成するための最適なθ（上記７０〜１４０°に限られない。）、距離ｄ１等が定められる。また、θやｄ１等により、導光板３における発光の光量を制御することができる。
【００３１】
図４は、以上のように構成されたライトガイド１０を含むディスプレイ装置５０の構造を模式的に示す断面図である。ディスプレイ装置５０は、上記導光板３と下向きプリズムシート５とを含むバックライト１６と、バックライト１６の光の強度を部分選択的に変調するための液晶パネル（変調素子）８とを備える。
【００３２】
このバックライト１６は、典型的には、導光板３と下向きプリズムシート５との間に、例えば図示しない拡散シート等が配置される。導光板３の下面３ｅ側には、図示しない反射シートが配置される場合もある。導光板３の下面３ｅはプリズム形状とされているが、上面３ｆと平行な平面であってもよい。あるいは、導光板３の下面３ｅは、上面３ｆに光源ブロック４から離れるにしたがって上面３ｆに近づくテーパ面（あるいは斜面）であってもよい。また、プリズムシートとして下向きプリズムシート５が用いられたが、上向きプリズムシートでもよい。また、カッティングの方向が異なる複数のプリズムシートが用いられてもよい。このディスプレイ装置５０のライトガイド１０以外の部分を構成する光学シート類は、このように種々の変更が可能である。
【００３３】
次に、ライトガイド１０の作用について説明する。
【００３４】
図１に示すように、光源ブロック４の各発光素子９から発せられる光は、ある角度を持つ拡散光となる。図３に示すように、この入射光のうち、コリメータ２の切り欠き面２ｃに対して臨界角αより小さい光（第１の光）ｐ１は、切り欠き面２ｃ、第１の境界層１１及び突起面３ｃを透過して導光板３に入射される。突起面３ｃと切り欠き面２ｃとはほぼ平行になっているので、このコリメータ２内の第１の光ｐ１の角度が導光板３でも保たれる。この第１の光ｐ１の角度は、できるだけ平行光（すなわち、Ｙ方向に平行な光）に近い光となるように、コリメータ２の設計がなされる。なお、例えばコリメータ２の屈折率が１．５９の場合、臨界角αは、３９°に設定することができるが、αは適宜変更可能である。
【００３５】
一方、コリメータ２に入射した光源ブロック４からの光のうち、切り欠き面２ｃに対して上記臨界角α以上の光（第２の光）ｐ２は、第１の境界層１１により反射（全反射）する。第１の境界層１１により反射した第２の光ｐ２のうち、第１の境界層１１に対して所定の角度より小さい角度の第３の光ｐ３は、直接コリメータ２の反射面２ａで反射する。所定の角度とは、コリメータ２の設計により適宜定められる値である。第１の境界層１１で全反射する第２の光ｐ２のうち、所定の角度以上の第４の光ｐ４は、第２の境界層１２に対して臨界角以上で入射する。そして、その第４の光ｐ４は、第２の境界層１２で反射してからコリメータ２の反射面２ａで反射する。すなわち、第３の光ｐ３及び第４の光ｐ４は、最終的には反射面２ａで反射し、コリメータ２の出光面６、第２の境界層１２及び導光板３の入光面７を透過し、平行光とされる。
【００３６】
図４に示すように、導光板３内を案内される光は、何回か反射を繰り返し、下面３ｅのプリズムで所定の臨界角より小さくなって立ち上げられ、上面３ｆから出射する。その光は、下向きプリズムシート５でさらに垂直方向（Ｚ方向）に近づくように制御され、下向きプリズムシート５の上面から出射する。これにより、バックライト１６が面発光する。
【００３７】
ここで、図５は、導光板１０３において平行光が少ない場合のデメリットを説明するための図である。図５（Ａ）は、そのバックライト２００の平面図、図５（Ｂ）は、図５（Ａ）において矢印Ａの方向で見たバックライト２００の正面図である。光源ブロック１０４から導光板１０３への入射角が大きい場合、すなわち平行光線が少ない場合、図５（Ｂ）に示すように、プリズムシート等の光学シート１０８に入射する光のうち、視角方向（Ｚ方向）から外れて出射する光が多くなる。これでは、光の利用効率（視角方向の輝度）が低下してしまう。光の利用効率を高めるには、図６（Ａ）及び図６（Ｂ）に示すように、本実施の形態のように導光板３での平行光線が多い場合、図５のように視角方向から外れる光線は少ない。したがって、視角方向での輝度が向上し、かつ、輝度ムラも抑制される。
【００３８】
以上のように、本実施の形態に係るライトガイド１０によれば、第１の境界層１１を介して第１の光ｐ１がコリメータ２から導光板３側へ透過し、コリメータ２の反射面２ａにより反射した第２の光ｐ２が第２の境界層１２を介して導光板３側へ透過する。ここで、反射面２ａの位置や角度が適宜設定されることにより、導光板３では平行光線が多くなる。平行光線が多くなれば、輝度ムラが抑制されるとともに、光の利用効率を向上させることができる。
【００３９】
特に、ミクロ的に見る場合、光源ブロック４の各発光素子（ＬＥＤ）９は面発光体であり、各発光素子９から発せられる光は、目視で確認できるほどの角度の発散光となる。発光素子９が点光源であれば、小さなレンズ等を用いることにより、光束を広げ、ある幅になったところで平行光にすることは可能である。しかし、点光源の場合であっても、レンズ系の配置スペースが必要となる。しかし、現実的には上記のように各発光素子９は面発光体なので、レンズ系の大きさもさらに大きくなり、さらに大きな配置スペースが必要になる。このようなレンズ系をバックライト装置に組み込むことは現実的ではない。本実施の形態によれば、このようなレンズ系を用いることなく、輝度ムラの抑制及び光の利用効率の向上を達成することができる。
【００４０】
また、本実施の形態では、光源ブロック４が複数の発光素子を有し、図３に示すように、ｄ２>ｄ３となっているので、ｄ２<ｄ３の場合に比べ、多くの平行光を効率良く作ることができる。
【００４１】
図７は、本実施の形態に係るライトガイドの光線をシミュレーションした図である。この図から、多くの光線が互いに平行光とされているのが分かる。なお、図７に示すライトガイドでは、コリメータの反射面の数が、図３に示したコリメータの反射面２ａの数より多く、細かく形成されている。
【００４２】
図８は、試作品により発光の試験を行った様子を示す写真である。図８（Ａ）は、光源ブロック及びコリメータがそれぞれ１つずつ設けられた例を示している。導光板は１つである。
【００４３】
図８（Ｂ）は、光源ブロック及びコリメータがそれぞれ２つずつ設けられた例を示している。導光板は１つであり、導光板の入光面に２つの突起面が設けられ、このように、複数の光源ブロック及び複数のコリメータが設けられる例も考えられる。複数のコリメータは、別体ではなく単体で構成することも可能である。
【００４４】
図９（Ａ）及び図９（Ｂ）は、図８（Ａ）及び図８（Ｂ）の試作品に用いられたコリメータの設計図をそれぞれ示す（単位：ｍｍ）。もちろん、これらのコリメータは単なる一例に過ぎない。
【００４５】
図１０は、本発明の他の実施の形態に係るコリメータ及び導光板の境界層を示す図である。これらの図では、当該境界層付近、特に第１の境界層付近を示しており、他の部分は上記実施の形態と同様であるので省略している。
【００４６】
図１０に示した境界層の形状は、すべて、「入射面に向けて凸形状」の概念に含まれる。符号２３、３３、４３で示す部材が導光板であり、符号２２、３２、４２で示す部材がコリメータである。
【００４７】
図１０（Ａ）に示す例に係る第１の境界層の一部には、コリメータの入射面に実質的に平行な部分１７が設けられている。図１０（Ｂ）に示す例に係る第１の境界層の一部には、曲線部１８が設けられている。図１０（Ｃ）に示す例に係る第１の境界層は、その全体が曲線１９でなる。この曲線１９は、例えば円弧であるが、楕円、放物線、または双曲線であってもよい。
【００４８】
図１１は、図３に示した形態におけるθやｄ１を変形した例を示し、図１１（Ａ）〜図１１（Ｃ）のそれぞれについて光線のシミュレーションを行った図である。図１１（Ａ）に示すｄ１−１は、図１１（Ｂ）及び図１１（Ｃ）に示すｄ１−２に比べ長く設定されている。図１１（Ａ）及び図１１（Ｂ）のθ１は１１０°程度である。図１１（Ｃ）のθ２は８０°程度である。この中では、図１１（Ｂ）に示す例が最も多くの平行光線が作られている。
【００４９】
図１２は、例えば光源ブロックが複数設けられたライトガイドを示す平面図である。このライトガイド２０では、図８（Ｂ）の説明でも述べたように、複数の光源ブロック４及び複数のコリメータ２が１枚の導光板５３に取り付けられている。この場合、複数の光源ブロック４から発せられたそれぞれの光が、導光板５３においてほぼ平行光とされる。
【００５０】
図１３は、図１２に示すライトガイド２０を含むディスプレイを搭載した電子機器として、ラップトップ型のＰＣ（Personal Computer）を示す斜視図である。このＰＣ１００では、光源ブロック４及びコリメータ２がディスプレイ２４の下部に配置されているが、ディスプレイ２４の左右端部のうち少なくとも一方に配置されてもよい。ＰＣ１００ぐらいの大きさの機器に、ライトガイド２０が組み込まれる場合、光源ブロック４及びコリメータ２の数は、図１３で示したものよりさらに増えるであろう。
【００５１】
なお、図１３では、電子機器としてＰＣを例に挙げた。しかし、ＰＣに限らず、ＰＤＡ（Personal Digital Assistance）、電子辞書、カメラ、オーディオ／ビジュアル機器、携帯電話、ゲーム機器、カーナビゲーション機器、その他の電化製品等が挙げられる。
【図面の簡単な説明】
【００５２】
【図１】本発明の一実施の形態に係るライトガイド（及びこのライトガイドに取り付けられた光源ブロック）を示す平面図である。
【図２】図１に示すライトガイドの側面図である。
【図３】光源ブロックの近傍を拡大したライトガイドの平面図である。
【図４】一実施形態に係るライトガイドを含むディスプレイ装置の構造を模式的に示す断面図である。
【図５】導光板において平行光が少ない場合のデメリットを説明するための図である。
【図６】一実施の形態に係るバックライトにおいて、平行光が多い場合を説明するための図である。
【図７】一実施の形態に係るライトガイドの光線をシミュレーションした図である。
【図８】試作品により発光の試験を行った様子を示す写真である。
【図９】図８（Ａ）及び図８（Ｂ）の試作品にそれぞれ用いられたコリメータの設計図である。
【図１０】本発明の他の実施の形態に係るコリメータ及び導光板の境界層を示す図である。
【図１１】図３に示した形態におけるθやｄ１を変形した例を示している。
【図１２】本発明のさらに別の実施の形態に係るライトガイドであって、光源ブロックが複数設けられたライトガイドを示す平面図である。
【図１３】図１２に示すライトガイドを含むディスプレイを搭載した電子機器として、ラップトップ型のＰＣを示す斜視図である。
【符号の説明】
【００５３】
ｐ１…第１の光
ｐ２…第２の光
ｐ３…第３の光
ｐ４…第４の光
２、２２、３２、４２…コリメータ
２ｂ…入射面
２ａ…反射面
２ｃ…切り欠き面
３、２３、３３、４３、５３…導光板
３ｃ…突起面
４…光源ブロック
４ａ…発光面
８…液晶パネル
９…発光素子
１０、２０…ライトガイド
１１…第１の境界層
１２…第２の境界層
２４、５０…ディスプレイ装置
１００…ＰＣ（電子機器）
【図１】
2008210749.tif 000003
【図２】
2008210749.tif 000004
【図３】
2008210749.tif 000005
【図４】
2008210749.tif 000006
【図５】
2008210749.tif 000007
【図６】
2008210749.tif 000008
【図９】
2008210749.tif 000009
【図１０】
2008210749.tif 000010
【図１２】
2008210749.tif 000011
【図１３】
2008210749.tif 000012
【図７】
2008210749.tif 000013
【図８】
2008210749.tif 000014
【図１１】
2008210749.tif 000015